(57)【要約】      （修正有）【課題】補液の押し出しが容易になる返血用液溜容器及び補液・返血用ユニットを提供する。【解決手段】返血用液溜容器Ａは、補液容器Ｂからの補液を滞留させる容器本体１と、前記補液容器の補液を前記容器本体内に取り入れるための液入口２と、前記容器本体内の補液を取り出すための液出口３とを備え、前記容器本体は、補液容器よりも小容量で、返血に必要な量の補液を収容でき、かつ、収容された補液を絞り出すことができるように可撓性を有することを特徴とする。補液・返血用ユニットは、返血用液溜容器を前記補液ラインに設けたことを特徴とする。【選択図】図１
2006247187.tif 000002
【特許請求の範囲】
【請求項１】
補液容器からの補液を滞留させる容器本体と、前記補液容器の補液を前記容器本体内に取り入れるための液入口と、前記容器本体内の補液を取り出すための液出口とを備え、前記容器本体は、補液容器よりも小容量で、返血に必要な量の補液を収容でき、かつ、収容された補液を絞り出すことができるように可撓性を有することを特徴とする返血用液溜容器。
【請求項２】
前記液出口を前記容器本体の上部又はその近傍で開口させたことを特徴とする請求項１に記載の返血用液溜容器。
【請求項３】
前記液入口を前記液出口よりも高位に開口させたことを特徴とする請求項１に記載の返血用液溜容器。
【請求項４】
動脈ライン、静脈ライン及び補液ラインを有する人工透析ラインのうち少なくとも補液ラインの全部又は一部を備え、
請求項１から３のいずれかの返血用液溜容器を前記補液ラインに設けたことを特徴とする補液・返血用ユニット。
【請求項５】
前記動脈ラインの全部又は一部を含むことを特徴とする請求項４に記載の補液・返血用ユニット。
【請求項６】
薬液注入ラインを含むことを特徴とする請求項５に記載の補液・返血用ユニット。
【発明の詳細な説明】
【技術分野】
【０００１】
本発明は、自動人工透析装置に用いられる返血用液溜容器及び補液・返血用ユニットに関する。
【背景技術】
【０００２】
人工透析装置では、透析処置が終了すると、血液透析装置（ダイアライザー）と血液回路内の残留した血液を清潔かつ安全に患者の体内に戻す返血操作が必要になる。返血操作としては、生理食塩水などの補液を用いてポンプで返血する方法や補液の落差圧を利用して返血する方法などがあるが、いずれの方法にあっても、動脈側の圧力が高い場合には、補液容器を手で握って該補液容器内に残った補液を補液容器から押し出す必要が生じる。
【発明の開示】
【発明が解決しようとする課題】
【０００３】
しかしながら、透析終了により補液容器内には僅かな量の補液しか残らないので、補液容器の一部を押さえても、補液は補液容器の上部の方に逆流してしまい、また、手指を用いて容器の上部の方からしごくようにして補液を押し出すことは容易ではなく、作業者の負担が大きくなるという問題があった。
【０００４】
そこで、本発明は、補液の押し出しが容易になる返血用液溜容器及び補液・返血用ユニットを提供することを課題とする。
【課題を解決するための手段】
【０００５】
本発明者は、前記課題を解決するために鋭意研究を重ねて完成されたものである。
１．補液容器からの補液を滞留させる容器本体と、前記補液容器の補液を前記容器本体内に取り入れるための液入口と、前記容器本体内の補液を取り出すための液出口とを備え、前記容器本体は、補液容器よりも小容量で、返血に必要な量の補液を収容でき、かつ、収容された補液を絞り出すことができるように可撓性を有することを特徴とする返血用液溜容器を提供する。
２．前記液出口を前記容器本体の上部又はその近傍で開口させたことを特徴とする前記１に記載の返血用液溜容器を提供する。
３．前記液入口を前記液出口よりも高位に開口させたことを特徴とする前記１に記載の返血用液溜容器を提供する。
４．動脈ライン、静脈ライン及び補液ラインを有する人工透析ラインのうち少なくとも補液ラインの全部又は一部を備え、前記１から３のいずれかの返血用液溜容器を前記補液ラインに設けたことを特徴とする補液・返血用ユニットを提供する。
５．前記動脈ラインの全部又は一部を含むことを特徴とする前記４に記載の補液・返血用ユニットを提供する。
６．薬液注入ラインを含むことを特徴とする前記５に記載の補液・返血用ユニットを提供する。
【発明の効果】
【０００６】
本発明によれば、返血用液溜容器は、補液容器からの補液を滞留させる容器本体と、前記補液容器の補液を前記容器本体内に取り入れるための液入口と、前記容器本体内の補液を取り出すための液出口とを備え、前記容器本体は、補液容器よりも小容量で、返血に必要な量の補液を収容できるので、透析終了後は、容器本体内部が補液で十分に満たされた状態にすることができる。したがって、収容された補液を絞り出すことができるように可撓性を有する補液容器の一部を押さえることによって、補液を容易に押し出すことができることになって作業者の負担を大きく軽減することができる。
【０００７】
また、前記液出口を前記容器本体の上部又はその近傍で開口させれば、透析時に前記容器本体内の空気の排出が円滑に行われて前記容器本体内に空気が溜まり難くなり、その結果、返血時に空気が透析ラインに流出するのを防止できる。
【０００８】
また、前記液入口を前記液出口よりも高位に開口させたので、返血用液溜容器を絞る時に該返血用液溜容器内にある補液が前記液出口から流出し易くなる。
【０００９】
また、動脈ライン、静脈ライン及び補液ラインを有する人工透析ラインのうち少なくとも補液ラインの全部又は一部を備え、返血用液溜容器を前記補液ラインに設けたので、返血用液溜容器を含むラインのユニット化が可能になり、したがって、複雑な回路透析システムにおいて返血用液溜容器を更に追加することがあっても、透析準備等の作業を迅速化することができる。
【発明を実施するための最良の形態】
【００１０】
以下、本発明に係る返血用液溜容器及び補液・返血用ユニットの実施形態について図面を参照しながら説明する。
【００１１】
図１のように返血用液溜容器Ａは、補液容器Ｂからの補液（生理食塩水）を滞留させる容器本体１と、補液容器Ｂの補液を容器本体内１に取り入れるための液入口２と、容器本体１内の補液を取り出すための液出口３とを備えている。容器本体１の容量は、補液容器Ｂのそれよりも小容量で、かつ、返血に必要な量の補液を収容できるように設定されている（例えば、補液容器が５００ｍｌ〜１５００ｍｌに対して５０ｍｌ〜１００ｍｌ）。
【００１２】
容器本体１は、矩形状のフィルムの周縁部４を熱融着又は接着することにより可撓性を有する袋状に形成されている。フィルムの材質としては、ポリエチレン、ポリプロピレン等の熱可塑性樹脂等、種々の樹脂を採用することができる。
【００１３】
容器本体１の上部から液取り入れ用チューブ５及び液取り出し用チューブ６の一部がそれぞれ導入され、液取り入れ用チューブ５及び液取り出し用チューブ６の端部が液入口２及び液出口３とされ、液出口３は容器本体１の底部又はその近くに位置し、液入口２は液出口３よりも高位置にある。なお、これらのチューブ５，６は、後述する透析システムＤの補液ラインＬ１を構成するものである。
【００１４】
そして、返血用液溜容器Ａを片手で把持して押圧することにより、返血用液溜容器Ａ内に収容された補液が液取り出し用チューブ５を通って絞り出されて後述する透析システムＤの循環回路１００内に流し込まれる。
【００１５】
このように構成される返血用液溜容器Ａは、図１のように補液・返血用ユニットＣ中に組み込まれ、該補液・返血用ユニットＣは、図２のように透析システムＤに組み込まれる。
【００１６】
補液・返血用ユニットＣは、返血用液溜容器Ａの液取り入れチューブ５の先端に補液容器穿刺用針８を設け、液取り入れチューブ５の途中に点滴筒７を設けることにより構成されている。なお、図１中の符号８ａは、補液容器Ｂからの補液容器穿刺用針８の抜けを防止するための返りである。
【００１７】
透析システムＤは、動脈側ラインＬ２及び静脈側ラインＬ３を有する循環回路と補液ラインＬ１と血液ポンプ１０１とダイアライザー１０２とを備えている。
【００１８】
循環回路１００は、図３のように複数のチューブｔ１〜ｔ１１と、チューブｔ１及びチューブｔ１１の先端にそれぞれ設けられる採血針接続部１０３及び返血針接続部１０４とを備えている。また、回路の途中には、ダイアライザー１０２、可撓性を有するポンプチューブ１０５、血液の気泡を除去する気泡除去チャンバー１０６、サンプリングポート１０７、血流感知ピロー１０８がそれぞれ配設されている。そして、血液ポンプ１０１がポンプチューブ１０５をしごきながら回転することにより、循環回路１００内の血液を採血針接続部１０３側から返血針接続部１０４側に循環させる。チューブｔ２，ｔ３はＴ字管１０９で接続され、チューブｔ３，ｔ４はＴ字管１１０で接続されている。また、図中の符号１１１は液面調節ライン、１１２はダイアライザー接続部、１１３は圧力モニタラインである。
【００１９】
図３のように補液・返血用ユニットＣの液取り出しチューブ６の端部はＴ字管１１０に接続され、また、図１のように液取り入れチューブ５に取り付けられた補液容器穿刺用針８は補液容器Ｂの被穿刺部Ｂ１に穿刺保持される。また、図３のように薬液注入ラインＬ４を構成するチューブｔ１２はＴ字管１０９に接続されている。
【００２０】
このように構成される透析システムによる人工透析の方法は、動脈側のチューブ及び静脈側のチューブをクランプした状態で、採血針接続部１０３側の採血針を患者の動脈に、返血針接続部１０４側の返血針を患者の静脈にそれぞれ穿刺保持し、次に、クランプを開放した状態で、血液ポンプ１０１を駆動して採血針から血液を採血してダイアライザー１０２に送り込む。そして、ダイアライザー１０２内で老廃物が透析除去された後は、返血針から患者の体内へと返血される。また、透析処置中は、補液ラインＬ１を介して補液容器Ｂ中の生理食塩水が返血用液溜容器Ａを通って血液中に補給される。
【００２１】
透析終了後は、補液容器Ｂには僅かな量の生理食塩水しか残らないが、返血用液溜容器Ａには補液が十分に満たされた状態になっているので、図４のように返血用液溜容器Ａを片手で握り締めることにより、該返血用液溜容器Ａ内に溜まった補液が押し出されて返血が行われることになり、また、液入口２は液出口３よりも高位置にあるので、返血用液溜容器Ａ内の補液が透析ラインに流出し易くなる。また、使用前の返血用液溜容器Ａを内部に空気が入っていないペチャンコの状態にしておくことにより、返血の際、透析ラインに空気が流入するを防止することができる。なお、返血用液溜容器Ａを握り締める力によって、液取り入れ用チューブ５及び液取り出し用チューブ６が扁平してこれらのチューブの途中で補液が詰まることがないようにチューブの厚みや材質等が設定されている。
【００２２】
図５（ａ）〜（ｄ）は、補液・返血用ユニットＣの種々の態様を示し、同図（ａ）は基本タイプを示し、同図（ｂ）〜（ｄ）は応用タイプを例示しており、該応用タイプでは循環回路１００のチューブやポンプチューブ１０５や血流感知ピロー１０８等が接続されるようになっている。
【００２３】
図６は、返血用液溜容器Ａの他の実施態様を示し、液出口３を容器本体１の上部に位置させ、液入口２を容器本体１の下部に位置させている。これにより、補液容器Ｂから液入口２を通って容器本体１内に流入する空気が該容器本体１内に溜まり難くなる構成にすることができる。また、返血の際には、補液が液入口２から補液容器Ｂに逆流しないように、容器本体１と補液容器Ｂとの間の液取り入れ用チューブ５を図外のクリップで留めるようにすることもできる。  
【図面の簡単な説明】
【００２４】
【図１】本発明の実施形態の返血用液溜容器を備えた補液・返血用ユニットを示す断面図である。
【図２】同実施形態の返血用液溜容器を備えた透析システムの概略図である。
【図３】同実施形態の返血用液溜容器を備えた透析システムの循環回路等を示す図である。
【図４】同実施形態の返血用液溜容器を握り締めた状態を示す図である。
【図５】本発明の実施形態の補液・返血用ユニットの種々の態様を示す図である。
【図６】本発明の他の実施形態の返血用液溜容器を示す断面図である。
【符号の説明】
【００２５】
Ａ      返血用液溜容器
１      容器本体
２      液入口
３      液出口
５      液取り入れ用チューブ
６      液取り出し用チューブ
Ｌ１    補液ライン
Ｂ      補液容器
Ｃ      補液・返血用ユニット
Ｄ      透析システム
【図１】
2006247187.tif 000003
【図２】
2006247187.tif 000004
【図３】
2006247187.tif 000005
【図４】
2006247187.tif 000006
【図５】
2006247187.tif 000007
【図６】
2006247187.tif 000008